(57)【要約】【課題】簡易な方法でありながら確実に所望のアンカー耐力を確保することが可能な定着アンカーの構築方法等を提供すること。【解決手段】先端近傍に開口部を有する自穿孔式の中空ロッドにより地盤を削孔してアンカー孔を形成し、前記中空ロッドをアンカー孔内に埋設したまま、前記中空ロッドの内部及び外部へと固結材を注入し、前記中空ロッドの内部からシール材を挿入し、前記シール材でもって前記中空ロッド内部の固結材を前記開口部を経由させて前記中空ロッドの外部へと押し出しつつ、前記開孔部を閉塞し、前記中空ロッドの内部に前記ロープ材を配置して固結材を注入して定着アンカーを構築する。【選択図】図１
2011256667.tif 000002
【特許請求の範囲】
【請求項１】
地盤に設ける定着アンカーの構築方法であって、
先端近傍に開口部を有する自穿孔式の中空ロッドにより地盤を削孔してアンカー孔を形成し、
前記中空ロッドをアンカー孔内に埋設したまま、前記中空ロッドの内部及び外部へと固結材を注入し、
前記中空ロッドの内部からシール材を挿入し、前記シール材でもって前記中空ロッド内部の固結材を前記開口部を経由させて前記中空ロッドの外部へと押し出しつつ、前記開孔部を閉塞し、
前記中空ロッドの内部に前記ロープ材を配置して固結材を注入してなる、
定着アンカーの構築方法。
【請求項２】
地盤に設ける定着アンカーの構造であって、
先端近傍に開口部を有する自穿孔式の中空ロッドと、
前記開口部を閉塞するように、前記中空ロッドの内部に配したシール材と、
引張要因に連結するロープ材であって、前記ロープ材の一端を前記中空ロッドの内部に配したロープ材と、
前記中空ロッドの内部及び外部に充填した固結材と、からなる、
定着アンカーの構造。
【発明の詳細な説明】
【技術分野】
【０００１】
本発明は、定着アンカーの構築方法及びその構造に関する。
【背景技術】
【０００２】
急峻斜面等の地盤での岩塊の固定や、落石、雪崩、崩落土砂などの抑制にあたり、固定手段や反力手段として用いられる定着アンカーには、種々の構築方法及び構造が知られている。
【０００３】
特許文献１には、内部グラウト材中に引張材が埋設され、その周囲にコルゲートシースが被覆され、さらにその周囲に外部グラウト材が一体化された定着アンカーが記載されている。
特許文献１に記載の永久定着アンカーは、前記引張材に凸型異形鋼線をよりあわせたＰＣ鋼より線を用いることによって定着グラウトに対する付着力の向上を図るものである。
【先行技術文献】
【特許文献】
【０００４】
【特許文献１】実用新案登録第２５６２０７２号公報
【発明の概要】
【発明が解決しようとする課題】
【０００５】
しかし、特許文献１に記載の定着アンカーでは、別途ボーリングマシンなどの削孔機を用いて地盤内にアンカー孔を形成しなければならず、急峻斜面上で規模の大きなアンカーを打設する場合、削孔機の搬入の為に別途作業足場や索道などを仮設する必要が生じるなど、施工費用・工期が過大となってしまう等の問題点が発生する場合がある。
【０００６】
また、特許文献１に記載の定着アンカーでは、定着グラウトが硬化する前に引張材を挿入して定着グラウト中に埋設するものであり、この場合、定着グラウトの硬化や引張材の挿入の仕方等の各種要因によって、定着グラウトと引張材との間に隙間が生じ、引張材と定着グラウトとの間で予定する付着力が得られず、所望のアンカー耐力を満足できない等の問題点が発生する場合がある。
【０００７】
したがって、本願発明は、簡易な方法でありながら確実に所望のアンカー耐力を確保することが可能な定着アンカーの構築方法、及びその構造を提供することを目的とするものである。
【課題を解決するための手段】
【０００８】
すなわち、本願の第１発明は、地盤に設ける定着アンカーの構築方法であって、先端近傍に開口部を有する自穿孔式の中空ロッドにより地盤を削孔してアンカー孔を形成し、前記中空ロッドをアンカー孔内に埋設したまま、前記中空ロッドの内部及び外部へと固結材を注入し、前記中空ロッドの内部からシール材を挿入し、前記シール材でもって前記中空ロッド内部の固結材を前記開口部を経由させて前記中空ロッドの外部へと押し出しつつ、前記開孔部を閉塞し、前記中空ロッドの内部に前記ロープ材を配置して固結材を注入してなる、定着アンカーの構築方法を提供するものである。
【０００９】
また、本願の第２発明は、地盤に設ける定着アンカーの構造であって、先端近傍に開口部を有する自穿孔式の中空ロッドと、前記開口部を閉塞するように、前記中空ロッドの内部に配したシール材と、引張要因に連結するロープ材であって、前記ロープ材の一端を前記中空ロッドの内部に配したロープ材と、前記中空ロッドの内部及び外部に充填した固結材と、からなる、定着アンカーの構造を提供するものである。
【発明の効果】
【００１０】
本願発明によれば、以下に示す効果のうち、少なくとも何れか一つを得ることができる。
（１）自穿孔式の中空ロッドでもってアンカー孔の削孔を行うため、ボーリングマシンなどの削孔機が不要である。したがって、削孔機を搬入するための作業足場や索道などの仮設も不要となり、施工費用・工期の低廉に寄与する。
（２）自穿孔式の中空ロッドでもってアンカー孔の削孔を行うため、軟弱地盤の場合であっても二重管による削孔作業等が不要であり、施工時間が早い。
（３）ロープ材を配してから中空ロッド内部の充填作業を行うため、中空ロッドの内部へと隙間無く固結材を充填することができ、ロープ材と固結材との付着力を高め、所望のアンカー耐力をより確実に発揮させることができる。
（４）シール材の挿入作業でもって、中空ロッド内部の固結材の押出作業と、中空ロッドの先端近傍に設けた開口部の閉塞作業を同時に行うことができ、作業の効率性に優れる。
（５）中空ロッド先端のビットに設けた開口部を閉塞してから中空ロッド内部への固結材の充填作業を行うため、再度注入した固結材が中空ロッドの外部に漏れ出すことが無く、中空ロッドの内部へと固結材が密に充填されるため、ロープ材と固結材との付着力を高め、所望のアンカー耐力をより確実に発揮させることができる。
【図面の簡単な説明】
【００１１】
【図１】本願発明の定着アンカーの構造の実施例を示す概略断面図。
【図２】本願発明の定着アンカーの構築方法の実施例を示す概略断面図。
【発明を実施するための形態】
【００１２】
以下、図面を参照しながら本発明の実施の形態について説明する。
【００１３】
＜１＞全体構造
図１は、本願発明の定着アンカーの構造の実施例を示す概略断面図である。
本願発明における定着アンカーは、アンカー孔内に配する自穿孔式の中空ロッド１と、前記中空ロッド１の内部に配するロープ材２と、前記中空ロッドの内部に配するシール材３と、前記中空ロッドの内外部に充填される固結材４と、を少なくとも含んでなる。以下、各構成部材について詳述する。
【００１４】
＜２＞中空ロッド
中空ロッド１は、地盤に打設してアンカー機能を発揮する部材である。
中空ロッド１は、単体での削孔が可能な周知の自穿孔式ボルト等を用いることができ、例えば、筒状の長手部材であってその外面にネジが転造された本体部１１と、前記本来部の先端部分に取り付けた削孔用のビット１２とを備えた部材、を用いることができる。
中空ロッド１は、自穿孔によりアンカー孔を形成するとともに、該アンカー孔内に残置し、少なくともアンカー孔の内壁と中空ロッド１の外壁との間に充填される固結材によって、アンカー孔内に埋設される。
また、中空ロッド１の先端近傍には、図示しない開口部を備えており、前記開孔部でもって、中空ロッド１の内部部分と外部部分とが連通するように構成してある。前記開口部は、前記本体部の先端周辺又はビットの何れか一方、或いは両方に形成することができる。
【００１５】
＜３＞ロープ材
ロープ材２は、前記中空ロッド１内に配するとともに、岩塊や落石防護網などの引張要因から受ける引張力に抵抗してアンカー機能を発揮する部材である。
ロープ材２は、ＰＣ鋼線、ＰＣ鋼より線等の周知のアンカーロープを用いることができる。
ロープ材２の一端は、前記中空ロッド１の内部に配し、該中空ロッド１の内部に充填された固結材４によって定着される。
他方、ロープ材２の他端は、孔外に露出し、ループを形成するなどして岩塊や落石防護網などの引張要因に直接的又は間接的に連結される。
【００１６】
＜４＞シール材
シール材３は、前記中空ロッド１の内部に挿入し、前記中空ロッド１内の先端近傍に位置して前記開孔部（図示せず）を閉塞するための部材である。
シール材３は、固結材４が、該シール材３内部を通過不能であって、前記開孔部（図示せず）を閉塞する程度の面積を備えてあることを要するが、例えば、前記中空ロッド１の内断面より略大きな断面を有する、ゴム製、スポンジ製等の部材を用いると前記中空ロッド１内部の固結材４の押出効果に優れるため良好である。
【００１７】
＜５＞固結材
固結材４はアンカー孔内に充填されることで、地盤と、アンカー孔内に配した前記中空ロッド１と、前記中空ロッド１内部に配したロープ材２と、を互いに一体化するための部材である。
より詳しくは、中空ロッド１の外壁とアンカー孔の内壁とを固結材４の付着力で一体化するとともに、中空ロッドの内壁とロープ材とを固結材４の付着力で一体化することで、アンカー全体として、地盤との一体化を実現することができる。
固結材４には周知のグラウト材等を用いることができる。
【００１８】
＜６＞定着アンカーの構築方法
図２は、本願発明の定着アンカーの構築方法の実施例を示す概略断面図である。
本願発明の定着アンカーは、例えば以下のステップによって構築される。
【００１９】
（１）削孔（図２（ａ））
地盤に対し、前記中空ロッド１でもって自穿孔による削孔を行い、アンカー孔を形成する。削孔後は、前記中空ロッド１はそのままアンカー孔内に残置する。
【００２０】
（２）固結材の第１注入（図２（ｂ））
前記中空ロッド１の中空部分から固結材４を注入する。固結材４は、中空ロッド１の先端近傍に設けてある前記開口部（図示せず）を介して、自穿孔ロッドの１外部領域にも充填され、最終的には、前記中空ロッドの内外部に渡って固結材４が充填されることとなる。
【００２１】
（３）シール材の挿入（図２（ｃ））
充填した固結材４の硬化前に、中空ロッド１の内部から前記シール材３を中空ロッド１の先端近傍まで押し込む。前記シール材３の押し込みにより中空ロッド１の内部に充填されていた固結材４は、前記開口部（図示せず）を介して徐々に中空ロッド１の外部部分へと押し込まれ、最終的に前記中空ロッド１の外部とアンカー孔内との間の領域分の容積を超えた固結材４は、地盤表面へと押し出される。
中空ロッド１の先端近傍まで押し込まれたシール材３は、前記開孔部（図示せず）を閉塞し、固結材４の通過を抑止する。このとき、固結材４は中空ロッドの１外部の領域のみに充填された状態であり、中空ロッド１の内部には、固結材４がほぼ空の状態となる。
【００２２】
（４）ロープ材の配置（図２（ｄ））
次に、中空ロッド１の内部にロープ材２を挿入する。なお、ロープ材２の挿入前に適宜中空ロッド１の内部を清掃しても良い。
このとき、中空ロッド１の内部はほぼ空の状態であるため、ロープ材２の位置を視認しながら挿入することができ、ロープ材２の配置をより設計通りに実施することができる。
【００２３】
（５）固結材の第２注入（図２（ｄ））
中空ロッド１の内部に再度固結材４を注入し、ロープ材２を定着する。
このとき、前記開孔部（図示せず）は閉塞された状態であるため、固結材４を圧入することにより、固結材４が中空ロッド１の外部へと漏れ出すことが無く、中空ロッド１の内部においてより密に固結材４が充填されることとなる。
【００２４】
＜７＞定着アンカーの特性
以上の工程により構築された定着アンカーは、以下の様な特性のうち何れか一つを少なくとも備える。
【００２５】
（１）ロープ材２を配してから中空ロッド１内部の充填作業を行うため、中空ロッド１の内部へと隙間無く固結材４が充填されるため、ロープ材２と固結材４との付着力を高め、所望のアンカー耐力をより確実に発揮させることができる。
（２）シール材３でもって開口部（図示せず）を閉塞するため、再度注入した固結材４が中空ロッド１の外部へと漏れ出すことが無く、固結材４が中空ロッド１の内部で密に充填されることとなり、前記（１）によるアンカー耐力の確保がより確実となる。
（３）シール材３の挿入作業でもって、中空ロッド１内部の固結材４の押出作業と、前記開口部（図示せず）の閉塞作業を同時に行うことができるため、作業の効率性に優れる。
【符号の説明】
【００２６】
１  中空ロッド
２  ロープ材
３  シール材
４  固結材
【図１】
2011256667.tif 000003
【図２】
2011256667.tif 000004
【手続補正書】
【提出日】平成22年10月8日(2010.10.8)
【手続補正１】
【補正対象書類名】特許請求の範囲
【補正対象項目名】全文
【補正方法】変更
【補正の内容】
【特許請求の範囲】
【請求項１】
地盤に設ける定着アンカーの構築方法であって、
先端近傍に開口部を有する自穿孔式の中空ロッドにより地盤を削孔してアンカー孔を形成し、
前記中空ロッドをアンカー孔内に埋設したまま、前記中空ロッドの内部及び外部へと固結材を注入し、
前記中空ロッドの内部からシール材を挿入し、前記シール材でもって前記中空ロッド内部の固結材を前記開口部を経由させて前記中空ロッドの外部へと押し出しつつ、前記開孔部を閉塞し、
前記中空ロッドの内部にロープ材を配置して固結材を注入してなる、
定着アンカーの構築方法。
【請求項２】
地盤に設ける定着アンカーの構造であって、
先端近傍に開口部を有する自穿孔式の中空ロッドと、
前記中空ロッドの後端から挿入し、前記開口部を閉塞するように、前記中空ロッドの内部に配したピストン状のシール材と、
引張要因に連結するロープ材であって、前記ロープ材の一端を前記中空ロッドの内部に配したロープ材と、
前記中空ロッドの内部及び外部に充填した固結材と、からなる、
定着アンカーの構造。
【手続補正２】
【補正対象書類名】明細書
【補正対象項目名】０００８
【補正方法】変更
【補正の内容】
【０００８】
すなわち、本願の第１発明は、地盤に設ける定着アンカーの構築方法であって、先端近傍に開口部を有する自穿孔式の中空ロッドにより地盤を削孔してアンカー孔を形成し、前記中空ロッドをアンカー孔内に埋設したまま、前記中空ロッドの内部及び外部へと固結材を注入し、前記中空ロッドの内部からシール材を挿入し、前記シール材でもって前記中空ロッド内部の固結材を前記開口部を経由させて前記中空ロッドの外部へと押し出しつつ、前記開孔部を閉塞し、前記中空ロッドの内部にロープ材を配置して固結材を注入してなる、定着アンカーの構築方法を提供するものである。
【手続補正３】
【補正対象書類名】明細書
【補正対象項目名】０００９
【補正方法】変更
【補正の内容】
【０００９】
また、本願の第２発明は、地盤に設ける定着アンカーの構造であって、先端近傍に開口部を有する自穿孔式の中空ロッドと、前記中空ロッドの後端から挿入し、前記開口部を閉塞するように、前記中空ロッドの内部に配したピストン状のシール材と、引張要因に連結するロープ材であって、前記ロープ材の一端を前記中空ロッドの内部に配したロープ材と、前記中空ロッドの内部及び外部に充填した固結材と、からなる、定着アンカーの構造を提供するものである。